(57)【要約】【課題】人間の目の残像作用により発光体を制御し省エネルギーを達成する方法を提供する。【解決手段】発光モジュールの制御回路に交換制御回路を配置することにより時間周期ごとに分割した高周波および低周波電流の出力信号を提供し、単位時間ｔを分割して信号を出力し、そして交換制御回路に対応する高効率出力回路により出力効率の異なる電流を出力し、それぞれ一定の時間正常な電流、一定の時間省エネルギー電流を供給するという間歇方式により電流を制御して発光モジュールを発光させ、かつ発光モジュールが正常な電流を受けて発光する周波数を１６回／秒またはそれ以上に設定する。【選択図】図２
2008204846.tif 000002
【特許請求の範囲】
【請求項１】
発光モジュールの制御回路に交換制御回路を配置することにより、時間周期ごとに分割した高周波及び低周波電流の出力信号を提供し、単位時間ｔを等分して信号を出力し、交換制御回路に対応する高効率出力回路により出力効率の異なる電流を出力し、かつそれぞれ所定の時間正常な電流を供給し、所定の時間省エネルギー電流を供給するという間歇方式により電流を制御して発光モジュールを発光させ、発光モジュールが正常な電流を受けて発光する周波数を１６回／秒またはそれ以上に設定し、省エネルギー電流を発光モジュールの最小の励起電流より大きくするか一致させることを特徴とする発光モジュールの省エネルギー制御方法。
【請求項２】
交換制御回路は千分の一秒間の時間周期により高周波及び低周波電流の出力を制御することを特徴とする請求項１に記載の発光モジュールの省エネルギー制御方法。
【請求項３】
省エネルギー電流は発光モジュールの最小の励起電流より大きいか一致することを特徴とする請求項１に記載の発光モジュールの省エネルギー制御方法。
【請求項４】
発光モジュールが正常な電流を受けて発光する時間は省エネルギー電流を受けて発光する時間より長いか一致することを特徴とする請求項１に記載の発光モジュールの省エネルギー制御方法。
【発明の詳細な説明】
【技術分野】
【０００１】
本発明は発光モジュールの制御設備に関し、詳しく言えば発光モジュールの省エネルギー制御方法に関するものである。
【背景技術】
【０００２】
現今、あらゆる発光体の発光モジュールをみると、ハロゲンランプ、白光ランプ、蛍光灯、冷陰極管、ＨＩＤ、ＬＥＤなどの任意の発光体は発光の際に電気エネルギーが同じ電力を持続的に消費する。例を挙げて説明してみると、現今の方法により、発光体を発光させるのに消費するワット数がｗ、発光持続時間がｔである場合、発光体は時間ｔの間にｗの電力を持続的に消費する。また時間の長さを千等分に分けてみれば、図１に示すように発光体が要するｗと電力を消費した時間の割合は１０００／１０００となる。このように電力を消費すれば電力を無駄にする場合がある。例えば発光体を特殊加工に使わず照明用に用いる場合、人間の目の残像作用を利用すれば、発光体に発光時間ｔのあいだにｗの電力を持続的に消費させる必要がなくなる。
【発明の開示】
【発明が解決しようとする課題】
【０００３】
本発明の主な目的は人間の目の残像作用により発光体を制御し省エネルギーを達成する方法を提供することである。
【課題を解決するための手段】
【０００４】
上述の目的を達成するために、本発明による発光モジュールの省エネルギー制御方法は、発光モジュールの制御回路に交換制御回路を配置することにより時間周期ごとに分割した高周波および低周波電流の出力信号を提供し、単位時間ｔを分割して信号を出力し、そして交換制御回路に対応する高効率出力回路により出力効率の異なる電流を出力し、それぞれ一定の時間正常な電流、一定の時間省エネルギー電流を供給するという間歇方式により電流を制御して発光モジュールを発光させ、かつ発光モジュールが正常な電流を受けて発光する周波数を１６回／秒またはそれ以上に設定することである。
【発明を実施するための最良の形態】
【０００５】
以下、二つの実施例を挙げ、図面に基づき本発明の特徴と効果を説明する。まず、図面の説明は下記の通りである。
図２は本発明の第一実施例を示す回路図である。
図３は本発明の第一実施例による発光モジュールの発光時間と電力消費量の関係を示すグラフである。
図４は本発明の第二実施例による発光モジュールの発光時間と電力消費量の関係を示すグラフである。
【０００６】
図２に示すように、本発明の第一実施例における蛍光灯の発光モジュールの回路配置を示す回路図は、直流電源回路１０と、直流電源回路に接続される交換制御回路１１と、交換制御回路に接続される高効率出力回路１２と、高効率出力回路に接続される発光モジュール１３とを有する。本実施例では、発光モジュールに用いる発光体は蛍光灯（ＣＦＬ）である。
【０００７】
本実施例による方法は、交換制御回路１１を介して千分の一秒間時間周期ごとに分割した高周波と低周波電流の出力信号を提供し、一単位の時間ｔを等分して信号を出力し、交換制御回路１１に対応する高効率出力回路１２により出力効率の異なる電流を出力し、かつそれぞれ一定の時間正常な電流、一定の時間省エネルギー電流を発光モジュール１３に供給するという間歇方式により電流を制御し、発光モジュール１３を発光させ、かつ発光モジュール１３が正常な電流を受けて発光する周波数を１６回／秒またはそれ以上に設定し、省エネルギー電流を発光モジュールの最小の励起電流より大きくするか、それらを一致させることである。
【０００８】
以下、最小の励起電流を５ｗ、通常下で消費する電流を２０ｗ、省エネルギー電流を１０ｗとする蛍光灯の実際のデータに基づいて説明を進める。単位時間を１秒に設定し、かつそれを千等分し、そののち図３に示すように所定の時間１／１０００秒ごとに正常な電流を供給し、それと交互に１／１０００秒ごとに省エネルギー電流を供給するという間歇方式により高効率出力回路１２を介して電流出力を制御し、発光モジュール１３を発光させれば、単位時間１秒間発光モジュール１３に正常な電流を供給した回数は５００回であり、２０ｗを消費した時間は１／２秒であり、省エネルギー電流１０ｗを消費した時間は１／２秒である。言い換えれば、従来の２０ｗの蛍光灯と比べて２５％前後の消費電力を節約することが可能である。かつ発光モジュールは１秒間正常な電流２０ｗ下で持続的に発光するわけではないが、発光モジュールに正常な電流を供給する周波数が人間の視覚反応時間１６回／秒を遥かに超えているため、発光モジュールは人間の視覚には１秒間正常な電流下で持続的に発光していると錯覚される。これにより消費電力を節約する目的を達成することが可能である。
【０００９】
本発明の第二実施例は最小の励起電流を３ｗ、通常下で消費する電流を２０ｗ、省エネルギー電流を８ｗとする蛍光灯の実際のデータに基づいて説明を進める。単位時間を１秒に設定し、かつそれを千等分し、そののち図４に示すように所定の時間１／１０００秒ごとに正常な電流を供給し、それと交互に９／１０００秒ごとに省エネルギー電流を供給するという間歇方式により高効率出力回路１２を介して電流出力を制御し、発光モジュール１３を発光させれば、単位時間１秒間発光モジュールに正常な電流を供給した回数は１００回であり、２０ｗを消費した時間は１／１０秒であり、省エネルギー電流８ｗを消費した時間は９／１０秒である。言い換えれば、従来の２０ｗの蛍光灯と比べて５４％前後の消費電力を節約することが可能である。かつ発光モジュールは１秒間正常な電流２０ｗ下で持続的に発光するわけではないが、発光モジュールに正常な電流を供給する周波数が人間の視覚反応時間１６回／秒を遥かに超えているため、発光モジュールは人間の視覚には１秒間正常な電流下で持続的に発光していると錯覚される。これにより消費電力を節約する目的を達成することが可能である。
【００１０】
本発明の実施例による方法は蛍光灯に適用することが可能なだけでなく、他の種類の発光モジュール、例えば冷陰極管、ＨＩＤ、ＬＥＤなどの発光体に適用することが可能である。また本発明の実施例における発光モジュールの正常な電流と省エネルギー電流との分配例と供給方法とは必ずしも前述の二つの模式に限らない。正常な電流を供給する時間を３／１０に設定し、省エネルギー電流を供給する時間を７／１０に設定すれば節約の百分率が異なっても、同様に省エネルギー効果を達成することが可能である。
【図面の簡単な説明】
【００１１】
【図１】従来の製品の電力消費量と時間との関係を示すグラフである。
【図２】本発明の第一実施例による発光モジュールの省エネルギー制御方法を示す回路図である。
【図３】本発明の第一実施例による発光モジュールの省エネルギー制御方法による発光時間と電力消費量との関係を示すグラフである。
【図４】本発明の第二実施例による発光モジュールの省エネルギー制御方法による発光時間と電力消費量の関係を示すグラフである。
【符号の説明】
【００１２】
１０：直流電源回路、１１：交換制御回路、１２：高効率出力回路、１３：発光モジュール
【図１】
2008204846.tif 000003
【図２】
2008204846.tif 000004
【図３】
2008204846.tif 000005
【図４】
2008204846.tif 000006